(57)【要約】【課題】クロストークが低減され、良好な３Ｄ映像を表示できる反射スクリーン、及び、これを用いた映像表示システムを提供する。【解決手段】反射スクリーン１００は、単位レンズ１３１が複数配列されたフレネルレンズ形状を背面側に有するレンズ層１３と、少なくとも単位レンズ１３１のレンズ面１３２に形成された光を略正反射する反射層１２と、レンズ層１３よりも映像源側に配置される少なくとも１つの光学機能層とを備えている。そして、反射スクリーン１００は、スクリーン面の法線方向に対して６７°をなす方向から入射した映像光が反射層１２に到達するまでの映像光の進行方向における反射前のリタデーション値Ｒｅ１と、反射層１２で反射してスクリーン面の法線方向に略平行に進んで出射するまでの映像光の進行方向における反射後のリタデーション値Ｒｅ２との和が、３０ｎｍ以下であるものとした。【選択図】図１
2014052555.tif 000002
【特許請求の範囲】
【請求項１】
映像源から投射された異なる２つの偏光を含む映像光を反射して観察可能に表示する反射スクリーンであって、
レンズ面と非レンズ面とを有し背面側に凸となる単位レンズが複数配列されたフレネルレンズ形状を背面側に有するレンズ層と、
少なくとも前記単位レンズの前記レンズ面に形成され、光を略正反射する反射層と、
前記レンズ層よりも映像源側に配置される少なくとも１つの光学機能層と、
を備え、
該反射スクリーンへスクリーン面の法線方向に対して６７°をなす方向から入射した映像光が反射層に到達するまでの映像光の進行方向における反射前リタデーション値Ｒｅ１と、前記反射層で反射してスクリーン面の法線方向に略平行に進んで該反射スクリーンから出射するまでの映像光の進行方向における反射後リタデーション値Ｒｅ２との和が、３０ｎｍ以下であること、
を特徴とする反射スクリーン。
【請求項２】
請求項１に記載の反射スクリーンにおいて、
前記光学機能層の少なくとも１つは、前記レンズ層よりも観察者側に設けられ、拡散作用が異方性を有する異方性拡散層であり、これを支持するアクリル樹脂製の基材層を備えること、
を特徴とする反射スクリーン。
【請求項３】
請求項２に記載の反射スクリーンにおいて、
前記光学機能層の１つは、所定の濃度に着色された着色層であり、
前記着色層は、粘着機能又は前記基材層へ他部材を積層するための下地機能を有すること、
を特徴とする反射スクリーン。
【請求項４】
請求項１に記載の反射スクリーンにおいて、
前記光学機能層の１つは、光を拡散する拡散材を含有するアクリル樹脂の拡散層であること、
を特徴とする反射スクリーン。
【請求項５】
請求項１又は請求項４に記載の反射スクリーンにおいて、
前記光学機能層の１つは、所定の濃度に着色されたアクリル樹脂製の着色層であること、
を特徴とする反射スクリーン。
【請求項６】
請求項１から請求項５までのいずれか１項に記載の反射スクリーンにおいて、
少なくとも前記非レンズ面には、光を吸収する光吸収層が形成されていること、
を特徴とする反射スクリーン。
【請求項７】
請求項１から請求項６までのいずれか１項に記載の反射スクリーンと、
第１映像光である第１の偏光、及び、第２映像光であり前記第１の偏光とは異なる偏光方向である第２の偏光を、前記反射スクリーンに投射する映像源と、
前記反射スクリーンで反射された前記第１の偏光を透過し前記反射スクリーンで反射された前記第２の偏光を透過しない第１映像透過部と、前記反射スクリーンで反射された前記第２の偏光を透過し前記反射スクリーンで反射された前記第１の偏光を透過しない第２映像透過部とを備え、前記第１映像透過部が観察者の一方の眼の前に、前記第２映像透過部が観察者の他方の眼の前に配置されるように観察者に装着され、前記第１映像透過部を透過した前記第１の偏光を観察者の一方の眼に到達させ、前記第２映像透過部を透過した前記第２の偏光を観察者の他方の眼に到達させる偏光めがねと、
を備える立体映像表示システム。
【請求項８】
請求項７に記載の立体映像表示システムにおいて、
前記映像源は、前記第１の偏光を前記反射スクリーンに投射する第１映像源と、前記第２の偏光を前記反射スクリーンに投射する第２映像源とを備えること、
を特徴とする立体映像表示システム。
【発明の詳細な説明】
【技術分野】
【０００１】
本発明は、投射された映像光を反射して表示する反射スクリーン、立体映像表示システムに関するものである。
【背景技術】
【０００２】
近年、短焦点型の映像投射装置によって投射された映像光を良好に表示するために、単位レンズが複数配列されたリニアフレネルレンズ形状やサーキュラーフレネルレンズ形状を有するレンズ層に反射層を形成した反射スクリーン等が様々に開発されている。
このような短焦点型の映像投射装置によって投射された映像光を良好に表示するために、単位レンズが複数配列されて形成されたリニアフレネルレンズ形状やサーキュラーフレネルレンズ形状を有するレンズ層の表面に反射層を形成した反射スクリーン等が様々に開発されている（例えば、特許文献１参照）。
【０００３】
また、近年、立体映像（３次元映像、３Ｄ映像）を表示可能な表示装置等の開発も盛んに行われている。立体映像を表示する方法としては、フレームシーケンシャル方式（アクティブ方式）や、パッシブ方式等が広く知られており、これらの方法を用いた液晶テレビジョンや、反射スクリーンを備える映像表示システム等の開発も進んでいる。
例えば、パッシブ方式の表示装置では、右眼用及び左眼用の映像は異なる偏光であって同時に画面上に表示され、それらを、右眼用及び左眼用の映像光のみを透過する透過部を備える表示用のメガネを通して観察することにより、観察者が立体映像を視認可能となる。
【先行技術文献】
【特許文献】
【０００４】
【特許文献１】特開２００８−７６５２３号公報
【発明の概要】
【発明が解決しようとする課題】
【０００５】
反射層よりも映像源側に、各種光学機能を有する１つ以上の樹脂層等を備える反射スクリーンを用いて、パッシブ方式により立体映像を表示するとき、反射スクリーンの各樹脂層の厚み方向等におけるリタデーション（位相差）により、映像光の偏光状態が変化する場合がある。このような偏光状態の変化によって、本来、右眼に届くはずの映像光が左眼用の偏光板を透過して左眼に届く等といったクロストークが発生し、良好な立体映像の視認が困難となる。クロストークを低減するためには、反射スクリーン全体でのリタデーション値を小さくすることが必要になる。
【０００６】
樹脂層のリタデーション値を考慮していない一般の２次元映像（２Ｄ映像）表示用の反射スクリーンは、概して反射スクリーンのリタデーション値が大きく、これをパッシブ方式の立体映像表示に用いた場合には、クロストークが著しく生じ、立体映像の良好な視認が困難である。
さらに、短焦点型の映像投射装置により映像を表示する場合には、反射スクリーンの厚み方向（スクリーン面の法線方向）に加え、スクリーン面の法線方向に対して角度をなす斜め方向におけるリタデーション値も考慮する必要がある。
特許文献１の反射スクリーンは、いずれも、立体映像表示に使用するものではなく、また、クロストーク低減に関する対策も全くなされていない。
【０００７】
本発明の課題は、クロストークが低減され、良好な立体映像を表示できる反射スクリーン、及び、これを用いた立体映像表示システムを提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、映像源（ＬＳ１，ＬＳ２）から投射された異なる２つの偏光を含む映像光（Ｌ１，Ｌ２）を反射して観察可能に表示する反射スクリーンであって、レンズ面（１３２）と非レンズ面（１３３）とを有し背面側に凸となる単位レンズ（１３１）が複数配列されたフレネルレンズ形状を背面側に有するレンズ層（１３）と、少なくとも前記単位レンズの前記レンズ面に形成され、光を略正反射する反射層（１２）と、前記レンズ層よりも映像源側に配置される少なくとも１つの光学機能層（１５，１６，１８，１９，２１，３４，３５）と、を備え、該反射スクリーンへスクリーン面の法線方向に対して６７°をなす方向から入射した映像光が前記反射層に到達するまでの映像光の進行方向における反射前リタデーション値Ｒｅ１と、前記反射層で反射してスクリーン面の法線方向に略平行に進んで該反射スクリーンから出射するまでの映像光の進行方向における反射後リタデーション値Ｒｅ２との和が、３０ｎｍ以下であること、を特徴とする反射スクリーン（１００，２００，３００）である。
請求項２の発明は、請求項１に記載の反射スクリーンにおいて、前記光学機能層の少なくとも１つは、前記レンズ層（１３）よりも観察者側に設けられ、拡散作用が異方性を有する異方性拡散層（１５，１６）であり、これを支持するアクリル樹脂製の基材層（１４，１７）を備えること、を特徴とする反射スクリーン（１００，２００）である。
請求項３の発明は、請求項２に記載の反射スクリーンにおいて、前記光学機能層の１つは、所定の濃度に着色された着色層（１８，２１）であり、前記着色層は、粘着機能又は前記基材層へ他部材を積層するための下地機能を有すること、を特徴とする反射スクリーン（１００，２００）である。
請求項４の発明は、請求項１に記載の反射スクリーンにおいて、前記光学機能層の１つは、光を拡散する拡散材を含有するアクリル樹脂の拡散層（３４）であること、を特徴とする反射スクリーン（３００）である。
請求項５の発明は、請求項１又は請求項４に記載の反射スクリーンにおいて、前記光学機能層の１つは、所定の濃度に着色されたアクリル樹脂製の着色層（３５）であること、を特徴とする反射スクリーン（３００）である。
請求項６の発明は、請求項１から請求項５までのいずれか１項に記載の反射スクリーンにおいて、少なくとも前記非レンズ面（１３３）には、光を吸収する光吸収層（１１）が形成されていること、を特徴とする反射スクリーン（１００，２００，３００）である。
【０００９】
請求項７の発明は、請求項１から請求項６までのいずれか１項に記載の反射スクリーン（１００，２００，３００）と、第１映像光（Ｌ１）である第１の偏光、及び、第２映像光（Ｌ２）であり前記第１の偏光とは異なる偏光方向である第２の偏光を、前記反射スクリーンに投射する映像源（ＬＳ１，ＬＳ２）と、前記反射スクリーンで反射された前記第１の偏光を透過し前記反射スクリーンで反射された前記第２の偏光を透過しない第１映像透過部（４１）と、前記反射スクリーンで反射された前記第２の偏光を透過し前記反射スクリーンで反射された前記第１の偏光を透過しない第２映像透過部（４２）とを備え、前記第１映像透過部が観察者（Ｏ）の一方の眼の前に、前記第２映像透過部が観察者の他方の眼の前に配置されるように観察者に装着され、前記第１映像透過部を透過した前記第１の偏光を観察者の一方の眼に到達させ、前記第２映像透過部を透過した前記第２の偏光を観察者の他方の眼に到達させる偏光めがね（４０）と、を備える立体映像表示システム（１）である。
請求項８の発明は、請求項７に記載の立体映像表示システムにおいて、前記映像源は、前記第１の偏光（Ｌ１）を前記反射スクリーンに投射する第１映像源（ＬＳ１）と、前記第２の偏光（Ｌ２）を前記反射スクリーンに投射する第２映像源（ＬＳ２）とを備えること、を特徴とする立体映像表示システム（１）である。
【発明の効果】
【００１０】
本発明によれば、クロストークが低減され、良好な３Ｄ映像を表示できる反射スクリーン、及び、これを用いた立体映像表示システムとすることができる。
【図面の簡単な説明】
【００１１】
【図１】第１実施形態の映像表示システム１を説明する図である。
【図２】第１実施形態の反射スクリーン１００の層構成を説明する図である。
【図３】第１異方性拡散層１６及び第２異方性拡散層１５を説明する図である。
【図４】レンズ層１３について説明する図である。
【図５】第２実施形態の反射スクリーン２００の層構成を説明する図である。
【図６】第３実施形態の反射スクリーン３００の層構成を説明する図である。
【図７】各実施例及び比較例の反射スクリーンの評価方法を説明する図である。
【発明を実施するための形態】
【００１２】
以下、図面等を参照して、本発明の実施形態について説明する。なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
さらに、本明細書中に記載する各部材の寸法等の数値及び材料名等は、実施形態としての一例であり、これに限定されるものではなく、適宜選択して使用してよい。
さらにまた、スクリーン面とは、反射スクリーン全体として見たときにおける、反射スクリーンの平面方向となる面を示すものであり、本明細書中、及び、特許請求の範囲においても同一の定義として用いている。
【００１３】
（第１実施形態）
図１は、第１実施形態の映像表示システム１を説明する図である。図１（ａ）は、映像表示システム１の斜視図であり、図１（ｂ）は、映像表示システム１の側面図であり、図１（ｃ）は、映像表示システム１の平面図である。
映像表示システム１は、反射スクリーン１００、映像源ＬＳ１，ＬＳ２等を有するパッシブ方式の立体映像表示システムである。
本実施形態の映像表示システム１では、映像源ＬＳ１は、左眼用の映像を表示する左眼用映像光Ｌ１を、映像源ＬＳ２は、右眼用の映像を表示する右眼用映像光Ｌ２を、それぞれ反射スクリーン１００に投射し、それを反射スクリーン１００が反射して画面上に表示する。この映像光Ｌ１，Ｌ２は、異なる偏光である。観察者Ｏは、右眼用映像光Ｌ２を透過する右眼用透過部４２と、左眼用映像光Ｌ１を透過する左眼用透過部４１とを備える偏光メガネ４０を装着して反射スクリーン１００を観察することにより、反射スクリーン１００の画面に表示される映像を、３Ｄ映像（立体映像、３次元映像）として観察する。
【００１４】
なお、この映像表示システム１において、反射スクリーン１００に対して、１つの映像源（例えば、映像源ＬＳ１）から、２Ｄ映像（２次元映像）を表示する映像光を投射した場合には、反射スクリーン１００の画面には２Ｄ映像が表示される。従って、この映像表示システム１は、２Ｄ映像を表示する、一般的な映像表示システムとしても使用可能である。
また、映像表示システム１は、フロントプロジェクションテレビシステム等として用いることも可能である。
【００１５】
映像源ＬＳ１，ＬＳ２は、互いに異なる偏光である左眼用映像光Ｌ１及び右眼用映像光Ｌ２を反射スクリーン１００へ投射する装置である。この映像源ＬＳ１，ＬＳ２は、短焦点型プロジェクタであり、使用状態において、反射スクリーン１００の画面を法線方向（スクリーン面の法線方向）から見た場合に、反射スクリーン１００の画面左右方向において中央近傍であって、反射スクリーン１００の画面（表示領域）よりも下方側となる位置に配置されている。
【００１６】
映像源ＬＳ１，ＬＳ２は、反射スクリーン１００の画面に直交する方向（反射スクリーン１００の厚み方向）における反射スクリーン１００との距離が、従来の汎用プロジェクタに比べて大幅に近い位置から映像光Ｌ１，Ｌ２を投射できる。即ち、この映像源ＬＳ１，ＬＳ２は、従来の汎用プロジェクタに比べて、反射スクリーン１００までの投射距離が短く、映像光Ｌ１，Ｌ２の反射スクリーン１００に対する入射角度も大きい。
このような映像源ＬＳ１，ＬＳ２としては、例えば、短焦点型の液晶プロジェクタ等を用いることができるし、また、映像光の出射部分に不図示の偏光板を備えたＣＲＴ方式のプロジェクタ等を用いてもよい。
また、本実施形態では、映像源を２台用いる例を示したが、これに限らず、１台の映像源に２つの映像光投射部を備えている形態や、１台の映像源であって１つの映像光投射部から左眼用映像光Ｌ１及び右眼用映像光Ｌ２を投射する形態としてもよい。
【００１７】
本実施形態の左眼用映像光Ｌ１及び右眼用映像光Ｌ２は、いずれも直線偏光であり、その偏光方向は互いに直交している。また、左眼用映像光Ｌ１の左眼用映像と右眼用映像光Ｌ２の右眼用映像とは、その視角が異なっている。
偏光メガネ４０の右眼用透過部４２は、反射スクリーン１００によって反射された右眼用映像光Ｌ２を透過するが、反射スクリーン１００によって反射された左眼用映像光Ｌ１を透過しない。また、偏光メガネ４０の左眼用透過部４１は、反射スクリーン１００によって反射された左眼用映像光Ｌ１を透過するが、反射スクリーン１００によって反射された右眼用映像光Ｌ２を透過しない。前述のように、左眼用映像光Ｌ１及び右眼用映像光Ｌ２が直線偏光で有る場合には、左眼用透過部４１及び右眼用透過部４２は、それぞれ偏光板を備えており、それぞれが透過可能な偏光の偏光方向は直交している。
【００１８】
観察者Ｏは、このような偏光メガネ４０を装着することにより、観察者Ｏの左眼には、反射スクリーン１００で反射された左眼用映像光Ｌ１が到達し、右眼には、反射スクリーン１００で反射された右眼用映像光Ｌ２が到達する。従って、観察者Ｏの左眼は、左眼用映像のみを観察し、右眼は、右眼用映像のみを観察するので、観察者Ｏは、反射スクリーン１００に表示される映像を立体映像（３Ｄ映像）として観察できる。
なお、左眼用映像光Ｌ１及び右眼用映像光Ｌ２は、回転方向が異なる円偏光（右回り円偏光、左回り円偏光）や、楕円偏光等としてもよい。例えば、左眼用映像光Ｌ１及び右眼用映像光Ｌ２を互いに回転方向が異なる円偏光とする場合には、右眼用透過部４２及び左眼用透過部４１は、各円偏光のみを透過する円偏光板を用いればよい。
【００１９】
反射スクリーン１００は、映像源ＬＳ１，ＬＳ２が投射した映像光Ｌ１，Ｌ２を観察者Ｏ側へ向けて反射し、映像を表示するスクリーンである。使用状態において、本実施形態の反射スクリーン１００の観察画面は、観察者Ｏ側から見て、長辺方向が画面左右方向となる略矩形状である。
なお、以下の説明中において、画面上下方向、画面左右方向、厚み方向とは、特に断りが無い場合、この反射スクリーン１００の使用状態における画面上下方向（鉛直方向）、画面左右方向（水平方向）、厚み方向（奥行き方向）であるとする。
反射スクリーン１００は、その背面側に、平板状の支持板５０が、粘着材等からなる不図示の接合層を介して設けられており、この支持板５０により、その平面性を維持している。なお、これに限らず、反射スクリーン１００は、不図示の枠部材等によって支持され、その平面性を維持する形態としてもよい。
この反射スクリーン１００は、例えば、対角８０インチや対角１００インチ等の大きな画面（表示領域）を有している。
【００２０】
図２は、第１実施形態の反射スクリーン１００の層構成を説明する図である。
図２では、反射スクリーン１００の観察画面（表示領域）の幾何学的中心（画面中央）となる点Ｃ（図１参照）を通り、画面上下方向に平行であって、スクリーン面に直交（厚み方向に平行）な断面の一部を拡大して示している。
反射スクリーン１００は、厚み方向において映像源側（観察者側）から順に、表面層１９、着色プライマ層１８、第１基材層１７、接合層２０ａ、第１異方性拡散層１６、接合層２０ｃ，第２異方性拡散層１５、接合層２０ｂ、第２基材層１４、レンズ層１３、反射層１２、光吸収層１１等を備え、一体に積層されている。
【００２１】
表面層１９は、反射スクリーン１００の映像源側の最表面に形成され、反射スクリーン１００の光学性能や品位、耐久性等を向上させるための各種機能を有する層である。
本実施形態の表面層１９は、第１基材層１７の映像源側（観察者Ｏ側）に、着色プライマ層１８を介して設けられ、反射スクリーン１００の映像源側表面の傷つきを低減するハードコート機能と、防眩機能、映像光の天井への写り込み防止機能とを有している。なお、表面層１９は、上述の例に限らず、反射防止機能、紫外線吸収機能、防汚機能、帯電防止機能、タッチパネル機能等、適宜必要な機能を１つ又は複数有する形態としてもよい。
本実施形態の表面層１９は、ハードコート機能を有する電離放射線硬化型樹脂を塗布して硬化させる等により形成され、表面に微細な凹凸形状（マット形状）を有している。この表面層１９の厚さは、膜厚１〜２５μｍ程度とすることができるが、所望する光学性能等に応じて、より厚みの大きなものとしてもよい。
【００２２】
着色プライマ層１８は、表面層１９と第１基材層１７との間に設けられている。
この着色プライマ層１８は、第１基材層１７の映像源側の面に表面層１９を形成するためのプライマ（下地）となる層であり、第１基材層１７と表面層１９との密着性を向上させる機能を有している。また、着色プライマ層１８は、所定の透過率となるように、灰色や黒色等の暗色系の顔料や染料等を含有し、着色されており、反射スクリーン１００に入射する照明光等の不要な外光を吸収したり、表示される映像の黒輝度をより低減させたりして、映像のコントラストを向上させる機能を有する。
この着色プライマ層１８は、例えば、厚さが１〜２０μｍ程度の塗工膜であり、染料や顔料を含有するポリエステル樹脂や、エポキシ樹脂、ウレタン樹脂、アクリル樹脂等により形成することができる。またこの着色プライマ層１８の光の透過率は、５０〜８０％とすることが好ましい。
【００２３】
第１基材層１７は、第１異方性拡散層１６を支持し、その剛性を高める機能を有する層であり、この反射スクリーン１００の剛性を高める機能も有している。
第１基材層１７は、光透過性を有する樹脂製のシート状の部材であり、接合層２０ａを介して、その背面側の面に第１異方性拡散層１６を積層している。
第１基材層１７は、アクリル樹脂を用いることが、反射スクリーン１００のリタデーション値低減の観点から好ましい。第１基材層１７に用いられるアクリル樹脂としては、例えば、ＰＭＭＡ（ポリメタクリル酸メチル）等を用いることができる。この第１基材層１７は、反射スクリーン１００の画面サイズにもよるが、上述のようなアクリル樹脂製であり、厚さ３０〜１００μｍ程度のシート状の部材を用いることができる。
この第１基材層１７は、キャスト成形法により形成され、スクリーン面の法線方向（厚み方向）及びその法線方向に対して角度をなす方向におけるリタデーション値が、ＰＣ（ポリカーボネート）やＭＢＳ（メチルメタクリル・ブタジエン・スチレン）樹脂等の他の熱可塑性樹脂に比べて小さいという特徴を有している。
【００２４】
第１異方性拡散層１６及び第２異方性拡散層１５について説明する。
第１異方性拡散層１６及び第２異方性拡散層１５は、一方の面に対して、特定の角度範囲内の入射角で入射した光は、拡散して他方の面から出射し、それ以外の入射角で入射した光は、拡散せずにそのまま他方の面から出射するという特性を有している。
この第１異方性拡散層１６及び第２異方性拡散層１５は、厚さが４０〜２００μｍであり、紫外線硬化型樹脂製である。
第１異方性拡散層１６の背面側には、接合層２０ｃを介して第２異方性拡散層１５が一体に接合されている。
【００２５】
図３は、第１異方性拡散層１６及び第２異方性拡散層１５を説明する図である。図３（ａ）は、第１異方性拡散層１６に平行な第１の方向１６Ｊに平行であってスクリーン面に直交する断面における拡散作用を説明する図であり、図３（ｂ）は、スクリーンの正面方向から見た第１異方性拡散層１６の第１の方向１６Ｊ及び第２異方性拡散層１５の第１の方向１５Ｊを示す図である。なお、図３（ａ）では、理解を容易にするために、第１の方向１６Ｊにおいて、紙面右側を＋側、紙面左側を−側として示している。
第１異方性拡散層１６は、その表面に平行な第１の方向１６Ｊを含みスクリーン面に値直交する平面内において、一方の面から所定の角度範囲内の入射角で入射する光に関しては、拡散して他方の面に出射し、それ以外の入射角で入射する光は、拡散せずに透過し、他方の面から出射するという異方性を有する拡散作用を有している。
【００２６】
第１異方性拡散層１６は、図３（ａ）に示すように、第１の方向１６Ｊを含みスクリーン面に直交する平面内において、その表面の法線方向（スクリーン面の法線方向に平行な方向）Ｈに対して、＋側に角度θ１からθ２（ただし、θ２＞θ１）となる角度範囲Ａ１内の入射角で入射する光Ｌ４は、他方の面側の角度範囲Ｄ１（法線Ｈに対して−側に角度θ１から角度θ２となる範囲）内に拡散して出射する。しかし、それ以外の角度範囲Ｂ１、Ｃ１内の入射角で入射する光Ｌ５、Ｌ６は、拡散せずに透過し、他方の面の角度範囲Ｅ１，Ｆ１内に出射する。
また、第１異方性拡散層１６に他方の面側から角度範囲Ｄ１内の入射角で入射する光は、角度範囲Ａ１（法線Ｈに対して−側に角度θ１から角度θ２となる範囲）内に拡散して出射する。それ以外の角度範囲Ｅ１、Ｆ１内の入射角で入射する光は、拡散せずに透過し、角度範囲Ｂ１，Ｃ１内に出射する。
【００２７】
また、第２異方性拡散層１５は、その表面に平行な第１の方向１５Ｊを含みスクリーン面に直交する平面内において、前述の第１異方性拡散層１６と同様に、異方性を有する拡散作用を有しているがその角度範囲が異なる。
この第２異方性拡散層１５は、第１の方向１５Ｊを含みスクリーン面に直交する平面内（前述の図３（ａ）に示す断面に相当）において、第２異方性拡散層１５の拡散作用を発する入射角度範囲や拡散されて出射する角度範囲は、法線Ｈに対して、前述の第１異方性拡散層１６の角度範囲Ａ１，Ｄ１と対称な範囲となっている。
本実施形態の第２異方性拡散層１５は、前述の第１異方性拡散層１６と同様の部材であり、画面左右方向は維持したまま、画面上下方向が第１異方性拡散層１６の配置とは反対となるように、その表裏面を逆にして配置されている。
【００２８】
従って、第２異方性拡散層１５は、第１の方向１５Ｊを含みスクリーン面に直交する平面内において、法線方向（スクリーン面の法線方向に平行な方向）Ｈに対して、−側に角度θ１から角度θ２（ただし、θ２＞θ１）となる角度範囲内の入射角で入射する光は、他方の面側の法線Ｈに対して＋側に角度θ１から角度θ２となる範囲内に拡散されて出射する。しかし、それ以外の角度範囲内の入射角で入射する光は、拡散せずに透過して他方の面側へ出射する。また、他方の面側において、法線方向Ｈに対して＋側に角度θ１から角度θ２となる範囲内に入射する光は、法線方向Ｈに対して−側に角度θ１から角度θ２となる角度範囲内に拡散されて出射し、それ以外の角度範囲内の入射角で入射する光は、拡散せずに透過して出射する。
本実施形態では、例えば、第１異方性拡散層１６及び第２異方性拡散層１５は、いずれも、角度θ１＝−１５°、角度θ２＝＋１５°としている。
【００２９】
また、本実施形態では、第１異方性拡散層１６の第１の方向１６Ｊと、第２異方性拡散層１５の第１の方向１５Ｊとは、図３（ｂ）に示すように、画面左右方向に平行な直線Ｔに対して、画面右側端部が、それぞれ、画面上側に角度φ、画面下側に角度φ（ただし、０°＜φ＜９０°）をなすように配置されている。
このような配置とすることにより、第１異方性拡散層１６及び第２異方性拡散層１５は、画面左右方向だけでなく、画面上下方向においても光を拡散することができる。従って、反射スクリーン１００は、画面上下方向及び画面左右方向において、良好な視野角を確保することができる。
本実施形態では、例えば、φ＝１５°とすることができる。
なお、角度θ１，θ２や、角度φについては、所望する光学性能に合わせて、適宜設定することができる。
この第１異方性拡散層１６及び第２異方性拡散層１５は、スクリーン面の法線方向及び法線方向に対して角度をなす方向におけるリタデーション値が、汎用のＰＣ樹脂等を母材とし拡散材を含有する等方性拡散層等に比べて小さい。
【００３０】
第２基材層１４は、前述の第２異方性拡散層１５を支持し、その剛性を高める機能を有する層であり、この反射スクリーン１００の剛性を高める機能も有している。この第２基材層１４は、接合層２０ｂを介して第２異方性拡散層１５の背面側に一体に積層されている。
第２基材層１４は、光透過性を有する樹脂製のシート状の部材であり、接合層２０ｂを介して、その映像源側の面に第２異方性拡散層１５を積層している。この第２基材層１４は、前述の第１基材層１７と同様の部材を用いることができる。
【００３１】
接合層２０ａ，２０ｂ，２０ｃは、それぞれ、第１基材層１７と第１異方性拡散層１６、第２異方性拡散層１５と第２基材層１４、第１異方性拡散層１６と第２異方性拡散層１５とを一体に接合する機能を有する層である。この接合層２０ａ，２０ｂ，２０ｃは、紫外線や熱に反応して粘着性を発現する粘着剤や、圧力により粘着性を発現する形態の粘着剤等を用いることができる。なお、接合層としては、接着剤を用いてもよい。このような接合層としては、アクリル樹脂、ウレタン樹脂、エポキシ樹脂等を用いることができる。
【００３２】
なお、本実施形態では、反射スクリーン１００の厚み方向において、映像源側から順に、第１基材層１７、第１異方性拡散層１６、第２異方性拡散層１５、第２基材層１４と配置される例を挙げて説明したが、これに限らず、厚み方向における第１基材層１７と第１異方性拡散層１６の位置、第２異方性拡散層１５と第２基材層１４との位置は、適宜入れ替えてもよい。
また、例えば、第１基材層１７が十分な剛性を有するならば、第２基材層１４を備えない形態としてもよい。
【００３３】
図４は、レンズ層１３について説明する図である。
レンズ層１３は、第２基材層１４の背面側に設けられた光透過性を有する層であり、その背面側の面にフレネルレンズ形状を有している。
本実施形態のレンズ層１３は、図４（ａ）に示すように、点Ｆを中心として単位レンズ１３１が同心円状に複数配列されたサーキュラーフレネルレンズ形状を有している。この単位レンズ１３１が配列されて形成されるサーキュラーフレネルレンズ形状の光学的中心（フレネルセンター）である点Ｆは、反射スクリーン１００の画面（表示領域）の画面左右方向中央を通る直線上であって画面の領域外であり、反射スクリーン１００の下方となる位置に位置している。
なお、本実施形態では、レンズ層１３がサーキュラーフレネルレンズ形状を有する例を挙げて説明するが、リニアフレネルレンズ形状を有する形態としてもよい。
【００３４】
単位レンズ１３１は、図４（ｂ）に示すように、スクリーン面に直交する方向（反射スクリーン１００の厚み方向）に平行であって、単位レンズ１３１の配列方向に平行な断面における断面形状が、略三角形状である。
この単位レンズ１３１は、背面側に凸であり、レンズ面１３２と、レンズ面１３２に対向する非レンズ面１３３とを備えている。図４（ｂ）に示す断面において、反射スクリーン１００の使用状態では、単位レンズ１３１は、レンズ面１３２が非レンズ面１３３よりも鉛直方向上側に位置している。
また、単位レンズ１３１において、図４（ｂ）に示すように、レンズ面１３２がスクリーン面に平行な面となす角度は、αであり、非レンズ面１３３がスクリーン面に平行な面となす角度は、β（β＞α）である。単位レンズ１３１の配列ピッチは、Ｐであり、単位レンズ１３１のレンズ高さ（スクリーンの厚み方向における頂点ｔから単位レンズ１３１間の谷底となる点ｖまでの寸法）は、Ｈである。
【００３５】
理解を容易にするために、図２及び図４等では、単位レンズ１３１の配列ピッチＰ、角度α，βは、単位レンズ１３１の配列方向において一定であるように示している。しかし、本実施形態の単位レンズ１３１は、実際には、配列ピッチＰ等が一定であるが、角度αが単位レンズ１３１の配列方向においてフレネルセンターとなる点Ｆから離れるにつれて次第に大きくなっている。
なお、上述の例に限らず、角度α等は、一定としてもよいし、配列ピッチＰが、単位レンズ１３１の配列方向に沿って次第に変化する形態としてもよく、映像光を投影する映像源ＬＳの画素（ピクセル）の大きさや、映像源ＬＳの投射角度（反射スクリーン１００のスクリーン面への映像光の入射角度）、反射スクリーン１００の画面サイズ、各層の屈折率、使用環境に応じた所望する光学特性等に応じて、適宜変更可能である。
このレンズ層１３は、ウレタンアクリレートやエポキシアクリレート等の紫外線硬化型樹脂により形成されている。なお、レンズ層１３は、電子線硬化型樹脂等の他の電離放射線硬化型樹脂により形成してもよい。
【００３６】
反射層１２は、光を反射する作用を有する層である。この反射層１２は、少なくともレンズ面１３２に形成される。本実施形態の反射層１２は、図２や図３（ｂ）に示すように、レンズ面１３２に形成されているが、非レンズ面１３３には形成されていない。
この反射層１２は、反射時に映像光の偏光面を変化させて偏光状態を変化させないように、光を正反射（鏡面反射）するものが好ましい。
反射層１２は、レンズ面１３２上に、アルミニウムや銀、ニッケル等の金属を蒸着する、又は、スパッタリングする等により形成することができる。
【００３７】
光吸収層１１は、レンズ層１３及び反射層１２の背面側に設けられ、光を吸収する作用を有している。本実施形態の光吸収層１１は、反射層１２及び非レンズ面１３３を被覆しており、非レンズ面１３３に光吸収層１１が形成された形態となっている。
光吸収層１１は、黒色等の暗色系の塗料や、黒色等の暗色系の顔料や染料及び光吸収作用を有するビーズ等を含有する熱硬化型樹脂もしくは紫外線硬化型樹脂等を、反射層１２をレンズ面１３２に形成したレンズ層１３の背面側（フレネルレンズ形状側）に塗布して硬化させることにより、形成される。
【００３８】
ここで、図２に戻り、実施形態の反射スクリーン１００へ入射する映像光及び外光の様子を説明する。理解を容易にするために、反射スクリーン１００の表面層１９、着色プライマ層１８、第１基材層１７、第１異方性拡散層１６、第２異方性拡散層１５、第２基材層１４、レンズ層１３の屈折率は等しいものとし、映像光に関しては、左眼用映像光Ｌ１及び右眼用映像光Ｌ２をまとめて映像光Ｌ３として説明する。
図２に示すように、映像源から投影された大部分の映像光Ｌ３は、反射スクリーン１００の下方から入射し、表面層１９、第１基材層１７を透過し、第１異方性拡散層１６及び第２異方性拡散層１５で画面上下方向及び画面左右方向に拡散され、第２基材層１４を透過してレンズ層１３の単位レンズ１３１へ入射する。
【００３９】
そして、映像光Ｌ３は、レンズ面１３２へ入射して反射層１２によって反射され、観察者Ｏ側へ向かって進み、再び、第１異方性拡散層１６及び第２異方性拡散層１５で画面上下方向及び画面方向に拡散されて、反射スクリーン１００から出射する。なお、角度β（図３（ｂ）参照）は、映像光Ｌ３が反射スクリーン１００の下方から投射され、かつ、反射スクリーン１００の画面上下方向の各点における映像光Ｌ３の入射角度よりも大きいので、映像光Ｌ３が非レンズ面１３３に直接入射することはなく、非レンズ面１３３は、映像光Ｌ３の反射には影響しない。
【００４０】
一方、照明光等の不要な外光Ｇ１，Ｇ２は、図２に示すように、主として反射スクリーン１００の上方から入射し、表面層１９等を透過し、第１異方性拡散層１６及び第２異方性拡散層１５により拡散され、レンズ層１３の単位レンズ１３１へ入射する。
そして、一部の外光Ｇ１は、非レンズ面１３３へ入射して、光吸収層１１によって吸収される。また、一部の外光Ｇ２は、レンズ面１３２で反射して、主として反射スクリーン１００の下方側へ向かうので、観察者Ｏ側には直接届かず、また、届いた場合にもその光量は、映像光Ｌ３に比べて大幅に少ない。従って、反射スクリーン１００では、外光Ｇ１，Ｇ２による映像のコントラスト低下を抑制できる。
以上のことから、本実施形態の反射スクリーン１００によれば、明室環境下であっても、コントラストが高く、明るく良好な映像を表示できる。
【００４１】
ここで、映像光として偏光を反射スクリーンに投射するパッシブ方式の立体映像表示システム等では、反射スクリーン内を透過する映像光に与える位相差、即ち、反射スクリーンのリタデーション値が小さいことが、映像光の偏光状態を維持し、クロストークを低減する観点から好ましい。
前述の図２の映像光Ｌ３に示すように、映像光Ｌ３は、反射スクリーン１００に対して、スクリーン面の法線方向に対して画面上下方向において大きな角度（約４０°〜８０°）をなす方向から入射し、反射スクリーン１００を透過して反射層１２で反射し、映像源側へスクリーン面の法線方向に略平行に進み、反射スクリーン１００から出射している。
【００４２】
即ち、反射スクリーン１００のリタデーション値Ｒｅは、スクリーン面に対する法線方向に対して角度γをなす方向から入射して反射層１２に到達するまでに反射スクリーン１００内を透過する映像光が進む方向におけるリタデーション値（反射前のリタデーション値）Ｒｅ１と、反射層１２で反射した光が表面層１９から出射するまでにスクリーン面の略法線方向に平行に進む方向におけるリタデーション値（反射後のリタデーション値）Ｒｅ２との和（合計のリタデーション値）に相当する。そして、クロストークを低減する観点から、波長５８７ｎｍの光に対して、このリタデーション値Ｒｅを３０ｎｍ以下とすることが好ましく、２０ｎｍ以下とすることがさらに好ましい。
【００４３】
波長５８７ｎｍの光は、可視光（３８０ｎｍ〜７８０ｎｍ）の基準光であり、波長５８７ｎｍの光に対するリタデーション値Ｒｅが３０ｎｍ以下であれば、可視光波長域全域、特に、クロストークが視認されやすい長波長側の可視光（赤色光）においても十分クロストークが低減される。
リタデーション値Ｒｅが３０ｎｍ以上となる場合には、反射スクリーン１００の入射前の映像光の偏光状態と、出射後の映像光との偏光状態とが異なってしまう。これにより、例えば、左眼用映像光Ｌ１の一部が、右眼用透過部４２を透過して右眼で視認されることとなり、クロストークが発生し、良好な３Ｄ映像の視認を妨げてしまう。
【００４４】
従って、反射スクリーンの画面中央における反射スクリーンのリタデーション値Ｒｅ（Ｒｅ＝Ｒｅ１＋Ｒｅ２）を３０ｎｍ以下、より好ましくは２０ｎｍとすることにより、反射スクリーン１００内を透過する映像光の位相の変化を大幅に抑制し、位相の変化による偏光状態の変化に起因したクロストークを大幅に低減できる。
本実施形態の反射スクリーン１００は、第１基材層１７及び第２基材層１４を、アクリル樹脂製とすることにより、スクリーン面の法線方向におけるリタデーション値Ｒｅ２及びスクリーン面の法線方向に対して入射角６７°で入射する光の進行方向に対するリタデーション値Ｒｅ１の和であるリタデーション値Ｒｅを３０ｎｍ以下としている。
【００４５】
ここで、リタデーション値Ｒｅ１について、反射スクリーン１００のスクリーン面への光の入射角６７°とした理由は、本実施形態のような短焦点型の映像源ＬＳ１，ＬＳ２からの反射スクリーン１００への映像光の画面上下方向における入射角の範囲が約４０〜８０°であり、スクリーン画面中央となる点Ｃでの入射角が６７°前後となるからである。
以上のことから、本実施形態によれば、明室環境下においても明るく、コントラストが高く、かつ、クロストークが大幅に低減された良好な映像を表示できる。また、リタデーション値に大きな影響を与えないプライマ層を着色して着色層を設けているので、リタデーション値が増加することなく、製造も容易である。
【００４６】
（第２実施形態）
図５は、第２実施形態の反射スクリーン２００の層構成を説明する図である。図５は、図２に示す断面に相当する断面を示している。
第２実施形態の反射スクリーン２００は、着色プライマ層１８を備えず、着色されていない透明プライマ層２８及び着色接合層２１を備えている点が異なる以外は、前述の第１実施形態の反射スクリーン１００と同様の形態である。従って、前述の第１実施形態の反射スクリーン１００と同様の機能を果たす部分には、同一の符号又は末尾に同一の符号を付して、重複する説明を適宜省略する。
反射スクリーン２００は、厚み方向において映像源側から順に、表面層１９、透明プライマ層２８、第１基材層１７、着色接合層２１、第１異方性拡散層１６、接合層２０ｃ、第２異方性拡散層１５、接合層２０ｂ、第２基材層１４、レンズ層１３、反射層１２、光吸収層１１を備え、これらが一体に積層されている。この反射スクリーン２００は、前述の第１実施形態の反射スクリーン１００と同様に、映像表示システム１に用いられる。
【００４７】
この第２実施形態の反射スクリーン２００も、映像光の入射方向及び反射方向におけるリタデーションの総和となるリタデーション値Ｒｅは、３０ｎｍ以下であることが好ましく、２０ｎｍ以下であることがより好ましい。
着色接合層２１は、第１基材層１７と第１異方性拡散層１６とを接合する接合層であり、所定の透過率となるように暗色に着色されている。この着色接合層２１は、感圧型の粘着剤であり、前述の着色プライマ層１８が含有する灰色や黒色の顔料や染料等と同様の顔料や染料を含有している。
【００４８】
この着色接合層２１は、エポキシ樹脂、アクリル樹脂等を用いて形成され、その厚さを１〜３０μｍとすることができる。また、着色接合層２１は、前述の着色プライマ層１８と同様に、光の透過率が５０〜８０％とすることが好ましい。
本実施形態とした場合にも、前述の第１実施形態と同様に、明室環境下においても明るく、コントラストが高く、かつ、クロストークが大幅に低減された良好な映像を表示できる。また、反射スクリーン２００を構成する層を増やすことなく着色層を設けることができるので反射スクリーン２００のリタデーション値を低減することができる。また、製造も容易である。
【００４９】
（第３実施形態）
図６は、第３実施形態の反射スクリーン３００の層構成を説明する図である。図５は、図２に示す断面に相当する断面を示している。
第３実施形態の反射スクリーン３００は、第１基材層１７、第１異方性拡散層１６、第２異方性拡散層１５、第２基材層１４を備えておらず、透明プライマ層２８、着色層３５、拡散層３４を備える点が、前述の第１実施形態とは異なる。従って、前述の第１実施形態の反射スクリーン１００及び第２実施形態の反射スクリーン２００と同様の機能を果たす部分には、同一の符号又は末尾に同一の符号を付して、重複する説明を適宜省略する。
【００５０】
反射スクリーン３００は、厚み方向において映像源側から順に、表面層１９、透明プライマ層２８、着色層３５、拡散層３４、レンズ層１３、反射層１２、光吸収層１１を備え、これらが一体に積層されている。この反射スクリーン３００は、前述の第１実施形態の反射スクリーン１００と同様に、映像表示システム１に用いられる。
本実施形態のレンズ層１３は、拡散層３４の背面側の面に一体に形成されている。
【００５１】
拡散層３４は、光透過性を有するアクリル樹脂を母材とし、光拡散作用を有する拡散材を含有する層である。
拡散層３４の母材としては、前述の第１基材層１７及び第２基材層に使用するＰＭＭＡ等のアクリル樹脂を用いることができる。また、拡散層３４に含有される拡散材としては、アクリル系、スチレン系、アクリル・スチレンの共重合体等の樹脂製の粒子や、シリコン系等の無機粒子等を使用できる。
この拡散層３４は、その厚さが１００〜２００μｍ程度とすることが、像ぼけを防止しつつ、かつ、良好な視野角を得る観点から好ましい。また、このとき、拡散材の平均粒径は、拡散層３４の厚さにもよるが、約１〜３０μｍのものが好ましい。
【００５２】
着色層３５は、所定の透過率とするための灰色や黒色等の染料や顔料等により着色が施された樹脂製の層である。本実施形態では、着色層３５は、拡散層３４の映像源側（観察者側）に位置している。
この着色層３５は、反射スクリーン１０に入射する照明光等の不要な外光や迷光を吸収して、映像のコントラストを向上させる機能を有する。
着色層３５の母材としては、前述の第１基材層１７及び第２基材層に使用するＰＭＭＡ等のアクリル樹脂を用いることができる。
この着色層３５は、光の透過率が５０〜８０％とすることが好ましい。また、着色層３５の厚さは、３０μｍ〜１．５ｍｍ程度とすること好ましい。
【００５３】
本実施形態の着色層３５と拡散層３４は、共押し出し成型され、一体に積層されて形成されている。なお、着色層３５を単層とし、拡散材と顔料や染料等の着色材とを共に含有する形態としてもよい。
この第３実施形態の反射スクリーン３００も、映像光の入射方向及び反射方向におけるリタデーション値の総和Ｒｅは、３０ｎｍ以下であることが好ましく、２０ｎｍ以下であることがより好ましい。
【００５４】
本実施形態とした場合には、反射スクリーンを構成する層数を減らすことができ、反射スクリーン３００のリタデーション値Ｒｅを大幅に低減することができる。
また、第１実施形態及び第２実施形態では、一般的に高価である異方性拡散層（第１異方性拡散層１６及び第２異方性拡散層１５）を用いているが、本実施形態によれば、異方性拡散層を用いておらず、拡散層３４及び着色層３５を押し出し成型しているので、生産コストや作業時間等を大幅に低減でき、より安価な反射スクリーンとすることができる。さらに、本実施形態によれば、積層される層の数を抑え、より薄型化でき、生産コストも低減できる。
【００５５】
ここで、実施形態の反射スクリーン１００，２００，３００の実施例及び比較例に相当する反射スクリーンを作製し、そのリタデーション値やクロストーク率、コントラストやピークゲイン等について調べた。
実施例１は、第１実施形態の反射スクリーン１００の実施例に相当し、実施例２は、第２実施形態の反射スクリーン２００、実施例３は、第３実施形態の反射スクリーン３００に相当する。これらの実施例及び比較例の反射スクリーンは、画面サイズが対角８０インチサイズ（１７７１×９９６ｍｍ）である。
【００５６】
各実施例に用いられる層について説明する。
表面層１９は、ウレタンアクリレート樹脂製であり、その厚さが２５μｍである。
着色プライマ層１８は、ポリエステル樹脂製であり、膜厚が１５μｍであり、黒色の顔料を含有しており、黒色透明に着色されている。この着色プライマ層１８の可視光透過率は、約６０％である。
透明プライマ層２８は、ポリエステル樹脂製であり、膜厚が１５μｍであり、透明である。
第１基材層１７及び第２基材層１４は、ＰＭＭＡ製であり、その厚さが５０μｍである。
第１異方性拡散層１６及び第２異方性拡散層１５は、紫外線硬化型のアクリル樹脂製であり、厚さが約４０μｍである。
【００５７】
接合層２０ａ，２０ｂは、アクリル樹脂製の感圧型の粘着材であり、厚さが２５μｍである。
着色接合層２１は、黒色の顔料を含有するアクリル樹脂製の感圧型の粘着材であり、厚さが１５μｍである。着色接合層２１は、黒色透明に着色されている。この着色接合層２１の可視光透過率は、約６０％である。
拡散層３４は、シリコン樹脂製の拡散材（平均粒径１０μｍ）を含有するＰＭＭＡ樹脂製であり、厚さ２００μｍである。
着色層３５は、黒色顔料を含有するＰＭＭＡ樹脂製の厚さ３８μｍの層であり、黒色透明である。この着色層３５の可視光透過率は、約６０％である。
レンズ層１３は、ウレタンアクリレート樹脂製である。
反射層１２は、アルミニウムを蒸着して形成されている。
光吸収層１１は、黒色顔料を含有するエポキシ系樹脂を塗付して硬化させ、形成されている。
【００５８】
比較例の反射スクリーンは以下の通りである。
比較例１，２の反射スクリーンは、第１実施形態及び第２実施形態の比較例に相当し、第１基材層１７及び第２基材層１４がいずれもＰＣ樹脂製であり、厚さ２００μｍである。
比較例３の反射スクリーンは、第３実施形態の反射スクリーンの比較例に相当し、着色層３５及び拡散層３４の母材がＰＣ樹脂製である。
比較例４は、黒色の布地層（厚さ３２０μｍ）の観察者側に樹脂層（厚さ約１７０μｍ）を備え、その観察者側に銀色の塗料等により形成された反射層（厚さ約３０μｍ）を備える反射スクリーンである。
【００５９】
クロストーク率は、実際に映像源ＬＳ２から映像光Ｌ２（右眼用透過部４２を透過する偏光）をスクリーンに投影し、左眼用透過部４１を通して輝度計により測定した点Ｃの輝度（ＢＬＩＮＤ）と、右眼用透過部４２を通して輝度計により測定した点Ｃの輝度（ＯＰＥＮ）の比からで算出される値である。このクロストーク率は、以下の式１により得られる。このとき輝度は、暗室環境下で、反射スクリーンの中央となる点Ｃから法線方向に３ｍの位置から、輝度計（コニカミノルタ社製のＬＳ−１１０）にて測定した。
クロストーク率＝（ＢＬＩＮＤ／ＯＰＥＮ）×１００（％）  ・・・（式１）
このクロストーク率は、その値が好ましくは５％以下、より好ましくは３％と以下、さらに好ましくは１．５％以下となる反射スクリーンとすることが、良好な３Ｄ映像を表示する観点から好ましい。
【００６０】
また、反射スクリーンとしてのリタデーション値Ｒｅは、映像光が反射スクリーンに入射して反射層に到達するまでのリタデーション値（反射前リタデーション値）Ｒｅ１と、反射層で反射後にスクリーンの略正面方向へ進んで反射スクリーンから出射するまでのリタデーション値（反射後リタデーション値）Ｒｅ２との和に相当する。
反射後リタデーション値Ｒｅ２は、反射スクリーンの厚み方向（スクリーン面の法線方向）におけるリタデーション値である。反射前リタデーション値Ｒｅ１は、反射スクリーンへの入射角を６７°とした際に、光が反射スクリーン内を透過する方向におけるリタデーション値に相当するものである。これらは、各方向における各層のリタデーション値の和にそれぞれ相当する。
【００６１】
リタデーション値（反射前リタデーション値Ｒｅ１及び反射後リタデーション値Ｒｅ２）は、位相差測定装置（ＫＯＢＲＡ−ＷＲ  王子計測機器株式会社製）を用いて測定した。測定の際の各種条件は、以下の通りである。
測定モード：入射角依存性測定
測定方法：標準
波長：λ  約５８７ｎｍ
Ｎａｖｅ：１．５８５
採用データ：θ＝０°のデータを記録
なお、反射前リタデーション値Ｒｅ１を、反射スクリーンへの光の入射角を６７°とした際のリタデーション値としたのは、前述の通り、超短焦点型のプロジェクタである映像源ＬＳ１，ＬＳ２からの各実施例及び比較例の反射スクリーンへの映像光の画面上下方向における入射角が約４０〜８０°であり、スクリーン画面中央となる点Ｃでの入射角が約６７°になるという理由からである。
【００６２】
次に、各実施例及び比較例の反射スクリーンに対して、実際に映像源ＬＳ１から映像光（白色表示）を投射して、そのピークゲイン（ＰＧ）、１／２角、コントラスト等を調べた。
図７は、各実施例及び比較例の反射スクリーンの評価方法を説明する図である。
まず、暗室環境下において、図７に示すように、映像源ＬＳ１から白色光を照射し、画面中央となる点Ｃを通り画面左右方向に平行な面内において、点Ｃに対してｄ１＝３ｍ離れた位置であって、点Ｃを通るスクリーン面の法線方向（正面方向）となす角度ε＝０°、±１０°、±２０°、±３０°、±４０°となる方向から、輝度計（コニカミノルタ社製  ＬＳ−１１０）によって点Ｃにおける輝度を測定した。そして、測定によって得られた画面左右方向の輝度分布から、画面左右方向におけるピークゲイン、画面左右方向の１／２角αを得た。
【００６３】
ここで、ゲインとは、上述のように、各実施例及び比較例の反射スクリーンに対して、光（白色光）を映像源ＬＳ１から投射し、各実施例及び比較例の反射スクリーンに光が入射する入射面での照度と、反射層１２で反射されて実施例及び比較例の反射スクリーンから出射する光の輝度を、シート面（光拡散層全体としてみたときの平面方向）の法線方向となす角度毎に測定し、以下に示す（式１）より求められる値である。ここでは、照度は、点Ｃでの照度（不図示の照度計（コニカミノルタ社製  ＣＳ−２００Ａ）により測定）であり、輝度は、上述の測定で得られる輝度である。
Ｇ＝π×Ｋ／Ｉ  ・・・（式１）
この（式１）において、ゲインをＧ、円周率をπ、輝度をＫ（ｃｄ／ｍ２）、照度をＩ（ｌｘ）で示している。そして、ピークゲインとは、得られたゲインの中でもっとも値が高いものを指す。
【００６４】
また、コントラストは、明室環境下（点Ｃでの照度：１００ｌｘ）における、各実施例及び比較例の反射スクリーンの白色表示時の画面中央となる点Ｃでの輝度（白輝度：Ｗ）と、黒色表示時の点Ｃでの輝度（黒輝度：Ｂ）との比である。これらの輝度は、前述の１／２角α等の測定と同様に、点Ｃに対してｄ１＝３ｍ離れた位置であって、点Ｃを通るスクリーン面の法線方向（正面方向、ε＝０°）から前述の輝度計（コニカミノルタ社製  ＬＳ−１１０）により測定した。
【００６５】
各実施例及び比較例のリタデーション値Ｒｅ及びクロストーク率、ピークゲイン、コントラスト、画面左右方向における１／２角等の測定結果をまとめた結果が以下に示す表１である。
【００６６】
【表１】
2014052555.tif 000003
【００６７】
上記表１に示すように、実施例１〜３は、リタデーション値が３０ｎｍ以下であり、特に、実施例１，２は、リタデーション値が２０ｎｍ近傍となっており、クロストーク率が低く、１．５％以下となっており、コントラスト、画面左右方向の１／２角も反射スクリーンとして十分であった。
一方、比較例１〜３の反射スクリーンでは、１／２角やピークゲインは十分であったが、リタデーション値が好ましい範囲を超えて高く、クロストーク率も５０％以上であり、良好な３Ｄ映像が視認できなかった。また、比較例４の反射スクリーンでは、実施例３の反射スクリーンと同等程度にクロストーク率が低下しており、ピークゲインも著しく高いが、コントラストが低く映像が不明瞭であり、また、１／２角が小さく、視野角も狭く、不十分であった。
【００６８】
従って、実施例１〜３の反射スクリーンとすれば、明るく、コントラストも高く、かつ、クロストークが大幅に改善された良好な３Ｄ映像を表示できる。
また、実施例１の反射スクリーンは、最も黒輝度が低くなり、コントラストが他の実施例２，３の反射スクリーンに比べてさらに良好であった。また、実施例２の反射スクリーンは、実施例１に比べて製造が容易である。また、実施例３の反射スクリーンは、製造が容易であり、また、生産コストが大幅に低減できる。
【００６９】
（変形形態）
以上説明した各実施形態に限定されることなく、種々の変形や変更が可能であって、それらも本発明の範囲内である。
（１）第１実施形態及び第２実施形態において、着色される層は、着色プライマ層１８、着色接合層２１である例を示したが、これに限らず、プライマ層及び接合層は透明とし、レンズ層１３が着色される形態としてもよい。
【００７０】
（２）第１実施形態及び第２実施形態において、反射スクリーン１００，２００は、第１異方性拡散層１６及び第２異方性拡散層１５を備える例を示したが、これに限らず、例えば、さらに第３異方性拡散層及び第４異方性拡散層を、例えば、第２異方性拡散層１５と第２基材層１４との間に一体に積層して設けてもよい。
このとき、第３異方性拡散層の第１の方向及び第４異方性拡散層の第１の方向は、ともに画面左右方向に平行な方向とし、第３異方性拡散層の角度範囲Ａ１を入射角＋５°〜＋４５°の範囲とし、第４異方性拡散層の角度範囲Ａ１を−５°〜−４５°とすることにより、画面左右方向に光を拡散することができ、画面左右方向の視野角を広く維持できる。
【００７１】
（３）各実施形態において、単位レンズ１３１は、図２等に示す断面形状が略三角形形状である例を示したが、これに限らず、例えば、略台形形状であり、レンズ面と非レンズ面とが、スクリーン面に平行な頂面を挟んで対向する形態としてもよい。このとき、頂面は、映像光の反射に寄与しない領域に形成されることが好ましい。頂面上には、光吸収層を形成してもよいし、反射層を形成してもよい。
また、単位レンズ１３１のレンズ面１３２及び非レンズ面１３３は、一部が曲線状となっていてもよし、少なくとも一方が、複数の面から構成される形態としてもよい。
【００７２】
（４）各実施形態において、反射スクリーン１００〜３００は、光吸収層１１を備え、非レンズ面１３３が、光吸収層１１で被覆される例を示したが、これに限らず、非レンズ面１３３上にも反射層１２が形成される形態としてもよい。このとき、反射層１２の厚さが十分あれば、光吸収層１１を備えなくともよい。
この場合、反射層１２は、単位レンズ１３１間の谷部を充填し、その背面側の面が略平面状となる形態としてもよいし、単位レンズ１３１の凹凸形状に沿って所定の厚さで形成される形態としてもよいし、十分な反射特性を有しているならば、その厚さが均一でなくともよい。
【００７３】
（５）各実施形態において、表面層１９は、塗膜である例を示したが、これに限らず、表面層１９の基材としてリタデーション値が十分低いもしくは０であるような部材を選択できるのであれば、表面層１９をフィルム状の部材とし、不図示の接合層等により、着色プライマ層１８又は透明プライマ層２８を介して第１基材層１７又は着色層３５に接合される形態としてもよい。
【００７４】
（６）各実施形態において、反射スクリーン１００〜３００は、その背面側に設けられた支持板５０に不図示の粘着材層等を介して接合されており、略平板状である例を示したが、これに限らず、例えば、支持板５０を備えず、反射スクリーン１００〜３００が粘着材層等を介して壁面等に接合される形態としてもよいし、支持板５０を裏面に接合した状態で壁面に固定されたり、フック等の支持部材で壁面に吊り下げされたりする形態等としてもよい。
また、各実施形態において、反射スクリーン１００〜３００は、使用時及び不使用時には略平板状である例を示したが、これに限らず、不使用時には巻き取って保管できる巻き取り可能な形態としてもよい。このような形態の場合には、支持板５０等を設けず、反射スクリーン１００〜３００の背面側を、光を透過しにくい布製又は樹脂製の遮光幕や耐傷性を向上させる保護層等で被覆する形態としてもよい。
【００７５】
（７）第１実施形態において、映像源ＬＳ１、ＬＳ２は、鉛直方向において反射スクリーン１００より下方に位置し、映像光Ｌ１，Ｌ２が反射スクリーン１０の下方から斜めに投射される例を示したが、これに限らず、例えば、映像源ＬＳ１，ＬＳ２が、鉛直方向において反射スクリーン１００より上方に位置し、映像光Ｌ１，Ｌ２が反射スクリーン１００の上方から斜めに投射される形態としてもよい。このとき、反射スクリーン１００は、図２や図４等に示すレンズ層１３の上下方向を反転させた形態とすればよい。
なお、第２実施形態及び第３実施形態においても、同様である。
【００７６】
なお、本実施形態及び変形形態は、適宜組み合わせて用いることもできるが、詳細な説明は省略する。また、本発明は以上説明した各実施形態によって限定されることはない。
【符号の説明】
【００７７】
１    映像表示システム
１００，２００，３００    反射スクリーン
１１    光吸収層
１２    反射層
１３    レンズ層
１４    第２基材層
１５    第２異方性拡散層
１６    第１異方性拡散層
１７    第１基材層
１８    着色プライマ層
１９    表面層
２０ａ，２０ｂ，２０ｃ    接合層
２１    着色接合層
２８    透明プライマ層
３４    拡散層
３５    着色層
【図１】
2014052555.tif 000004
【図２】
2014052555.tif 000005
【図３】
2014052555.tif 000006
【図４】
2014052555.tif 000007
【図５】
2014052555.tif 000008
【図６】
2014052555.tif 000009
【図７】
2014052555.tif 000010